(57)【要約】【課題】端子を容易に挿入できるとともに防水栓の損傷を抑制することのできる防水コネクタを提供する。【解決手段】ホルダー４０と絶縁ハウジング２０との間に弾性変形した状態で介在する防水栓３０の後端部分のうち端子２の端子突起部２ａと対向する部分以外の部分に、第一電線挿通孔３４の内周面から後方に向かうに従ってこの第一電線挿通孔３４に挿入された端子２から離間する方向に傾斜し、この端子２を前記第一電線挿通孔３４に案内するテーパ状の挿入側誘い込み部３５を設け、この防水栓３０の後端部分のうち前記端子突起部２ａと対向する部分に、前記挿入側誘い込み部３５の傾斜角度よりも大きな角度で前記第一電線挿通孔３５の内周面から前記端子突起部２ａの突出方向に凹む挿入側凹部３６を設けるとともに、前記ホルダー４０に、その前面４２ａから前方に向けて突出して前記挿入側凹部３６に挿入されるホルダー側凸部４６を設ける。【選択図】図６
2008171636.tif 000002
【特許請求の範囲】
【請求項１】
電線が接続される端子と、
当該端子を保持する絶縁ハウジングと、
当該絶縁ハウジングの後方の位置でこの絶縁ハウジングに固定されるホルダーと、
弾性部材からなり、前記ホルダーと前記絶縁ハウジングとの間に弾性変形した状態で介在する防水栓とを備え、
前記端子は、その外周面の一部から所定の方向に突出する端子突起部を有し、
前記絶縁ハウジングは、前記端子が後方から挿入可能な端子収容室を有し、
前記防水栓は、前記端子収容室と対応する位置に設けられて、前記端子が後方から挿通される第一電線挿通孔と、この防水栓の後端部分のうち前記端子突起部と対向する部分以外の部分に設けられて、前記第一電線挿通孔の内周面から後方に向かうに従ってこの第一電線挿通孔に挿入された端子から離間する方向に傾斜し、前記端子の挿通時に当該端子を前記第一電線挿通孔に案内するテーパ状の挿入側誘い込み部と、この防水栓の後端部分のうち前記端子突起部と対向する部分に設けられて、前記挿入側誘い込み部の傾斜角度よりも大きな角度で前記第一電線挿通孔の内周面から前記端子突起部の突出方向に凹む挿入側凹部とを有し、
前記ホルダーは、前記第一電線挿通孔と対応する位置に設けられて、前記端子を挿通可能な第二電線挿通孔と、当該第二電線挿通孔が開口する前面から前方に向けて突出するとともに前記挿入側凹部に挿入されるホルダー側凸部とを有することを特徴とする防水コネクタ。
【請求項２】
請求項１に記載の防水コネクタであって、
前記ホルダー側凸部の側面のうち前記端子突起部に対向する面が、前記ホルダーの前記第二電線挿通孔の内側面のうち前記端子突起部と対向する面と面一であることを特徴とする防水コネクタ。
【請求項３】
電線が接続される端子と、
当該端子を保持する絶縁ハウジングと、
当該絶縁ハウジングの後方の位置でこの絶縁ハウジングに固定されるホルダーと、
弾性部材からなり、前記ホルダーと前記絶縁ハウジングとの間に弾性変形した状態で介在する防水栓とを備え、
前記端子は、その外周面の一部から所定の方向に突出する端子突起部を有し、
前記絶縁ハウジングは、前記端子が後方から挿入可能な端子収容室を有し、
前記防水栓は、前記端子収容室と対応する位置に設けられて、前記端子が後方から挿通される第一電線挿通孔と、この防水栓の前端部分のうち前記端子突起部と対向する部分以外の部分に設けられて、前記第一電線挿通孔の内周面から前方に向かうに従ってこの第一電線挿通孔に挿入された端子から離間する方向に傾斜し、前記端子の抜出時に当該端子を前記第一電線挿通孔に案内するテーパ状の抜出側誘い込み部と、この防水栓の前端部分のうち前記端子突起部と対向する部分に設けられて、前記抜出側誘い込み部の傾斜角度よりも大きな角度で前記第一電線挿通孔の内周面から前記端子突起部の突出方向に凹む抜出側凹部とを有し、
前記絶縁ハウジングは、前記端子収容室が開口する後面から後方に向けて突出するとともに前記抜出側凹部に挿入されるハウジング側凸部を有することを特徴とする防水コネクタ。
【請求項４】
請求項３に記載の防水コネクタであって、
前記ハウジング側凸部の側面のうち前記端子突起部に対向する面が、前記絶縁ハウジングの前記端子収容室の内側面のうち前記端子突起部と対向する面と面一であることを特徴とする防水コネクタ。
【発明の詳細な説明】
【技術分野】
【０００１】
本発明は、電線が接続された端子が挿入される端子収容室内への浸水を防止する防水栓を備えた防水コネクタに関するものである。
【背景技術】
【０００２】
従来、自動車用ワイヤハーネス等に適用されるコネクタとしては、防水性能を有したいわゆる防水コネクタが各種開発されている。
【０００３】
例えば特許文献１には、図９に示されるように、外周面から一方向に突出するスタビライザー１０２ａを有し電線１が接続される端子２と、この端子２を保持する絶縁ハウジング１２０と、防水栓１３０と、ホルダー１４０とを備えた防水コネクタ１１０が開示されている。
【０００４】
前記絶縁ハウジング１２０には前記電線１が接続された端子２が挿入される複数の端子収容室１２４が設けられており、防水栓１３０とホルダー１４０には、前記端子２が挿通可能な第一電線挿通孔１３４および第二電線挿通孔１４４がそれぞれ前記端子収容室１２４に対応するように複数設けられている。また、前記防水栓１３０の後端部分には、電線１の挿入時にこの電線１を案内するテーパ状の誘い込み部１３５が形成されている。
【０００５】
この防水コネクタ１１０では、前記電線１が接続された端子２は、防水栓１３０が絶縁ハウジング１２０とホルダー１４０との間で弾性変形した状態にて、前記第二電線挿通孔１４４に挿通された後、前記誘い込み部１３５に案内されつつ前記第一電線挿通孔１３４に挿通される。その後、この端子２は、さらに前記端子収容室１２４に挿入され前記絶縁ハウジング１３０に保持される。そして、前記防水栓１３０の第一電線挿通孔１３４の内周面と電線１の外周面とが密着することによって、この第一電線挿通孔１３４から前記端子収容室１２４への水の浸入が防止される。
【特許文献１】特開２０００−８２５２９号公報
【発明の開示】
【発明が解決しようとする課題】
【０００６】
前記の防水コネクタ１１０では、防水栓１３０の第一電線挿通孔１３４に端子２が挿入される際に、その挿入初期においてこの端子２がこじられるようにして第一電線挿通孔１３４に挿入され易い。この場合、前記端子２に設けられたスタビライザー１０２ａ等の端子突起部によって前記誘い込み部１３５が損傷してしまうおそれがある。
【０００７】
本発明は、このような事情に鑑み、前記スタビライザー等の端子突起部による防水栓の損傷をより確実に抑えつつ、電線の挿通を容易にできる防水コネクタの提供を目的とする。
【課題を解決するための手段】
【０００８】
前記課題を解決するための手段として、本発明は、電線が接続される端子と、当該端子を保持する絶縁ハウジングと、当該絶縁ハウジングの後方の位置でこの絶縁ハウジングに固定されるホルダーと、弾性部材からなり、前記ホルダーと前記絶縁ハウジングとの間に弾性変形した状態で介在する防水栓とを備え、前記端子は、その外周面の一部から所定の方向に突出する端子突起部を有し、前記絶縁ハウジングは、前記端子が後方から挿入可能な端子収容室を有し、前記防水栓は、前記端子収容室と対応する位置に設けられて、前記端子が後方から挿通される第一電線挿通孔と、この防水栓の後端部分のうち前記端子突起部と対向する部分以外の部分に設けられて、前記第一電線挿通孔の内周面から後方に向かうに従ってこの第一電線挿通孔に挿入された端子から離間する方向に傾斜し、前記端子の挿通時に当該端子を前記第一電線挿通孔に案内するテーパ状の挿入側誘い込み部と、この防水栓の後端部分のうち前記端子突起部と対向する部分に設けられて、前記挿入側誘い込み部の傾斜角度よりも大きな角度で前記第一電線挿通孔の内周面から前記端子突起部の突出方向に凹む挿入側凹部とを有し、前記ホルダーは、前記第一電線挿通孔と対応する位置に設けられて、前記端子を挿通可能な第二電線挿通孔と、当該第二電線挿通孔が開口する前面から前方に向けて突出するとともに前記挿入側凹部に挿入されるホルダー側凸部とを有することを特徴とする防水コネクタを提供する（請求項１）。
【０００９】
このような構成によれば、前記端子の挿入時に、防水栓に設けられた前記挿入側誘い込み部により端子を第一電線挿通孔に案内しつつ、前記端子突起部による防水栓の損傷をより確実に抑制することが可能になる。
【００１０】
すなわち、前記防水栓の後端部分のうち前記端子突起部と対向する部分以外の部分には、前記第一電線挿通孔の内周面から後方に向かうに従って傾斜するテーパ状の挿入側誘い込み部が設けられているため、この挿入側誘い込み部に沿って端子を挿入することでこの端子をスムーズに第一電線挿通孔に挿入することができる。一方、前記防水栓の後端部分のうち前記端子突起部と対向する部分には、前記第一電線挿通孔の内周面から前記端子突起部の突出方向に凹み、その凹み具合が前記挿入側誘い込み部の傾斜角度よりも大きくなるような挿入側凹部が設けられているので、前記端子の第一電線挿通孔への挿入開始時に端子をこじ入れねばならない場合であっても、この端子突起部と防水栓との接触を抑制することができ、当該端子突起部による防水栓の損傷をより確実に抑制することが可能となる。
【００１１】
また、前記ホルダーには、その前面から前方に突出し前記挿入側凹部に挿入されるホルダー側凸部が設けられているので、このホルダー側凸部により前記挿入側凹部と前記端子突起部との接触をさらに確実に回避することができる。
【００１２】
また本発明において、前記ホルダー側凸部の側面のうち前記端子突起部に対向する面が、前記ホルダーの前記第二電線挿通孔の内側面のうち前記端子突起部と対向する面と面一であるのが好ましい（請求項２）。
【００１３】
この構造では、前記端子を、前記端子突起部が前記第二電線挿通孔の内側面と、前記ホルダー側凸部の側面のうち前記端子突起部に対向する面とに沿うようにして、前記第二電線挿通孔および第一電線挿通孔に挿入することができる。従って、端子の姿勢を安定させた状態でこの端子の挿入作業を行うことが可能になる。
【００１４】
また、本発明は、電線が接続される端子と、当該端子を保持する絶縁ハウジングと、当該絶縁ハウジングの後方の位置でこの絶縁ハウジングに固定されるホルダーと、弾性部材からなり、前記ホルダーと前記絶縁ハウジングとの間に弾性変形した状態で介在する防水栓とを備え、前記端子は、その外周面の一部から所定の方向に突出する端子突起部を有し、前記絶縁ハウジングは、前記端子が後方から挿入可能な端子収容室を有し、前記防水栓は、前記端子収容室と対応する位置に設けられて、前記端子が後方から挿通される第一電線挿通孔と、この防水栓の前端部分のうち前記端子突起部と対向する部分以外の部分に設けられて、前記第一電線挿通孔の内周面から前方に向かうに従ってこの第一電線挿通孔に挿入された端子から離間する方向に傾斜し、前記端子の抜出時に当該端子を前記第一電線挿通孔に案内するテーパ状の抜出側誘い込み部と、この防水栓の前端部分のうち前記端子突起部と対向する部分に設けられて、前記抜出側誘い込み部の傾斜角度よりも大きな角度で前記第一電線挿通孔の内周面から前記端子突起部の突出方向に凹む抜出側凹部とを有し、前記絶縁ハウジングは、前記端子収容室が開口する後面から後方に向けて突出するとともに前記抜出側凹部に挿入されるハウジング側凸部を有することを特徴とする防水コネクタを提供する（請求項３）。
【００１５】
このような構成によれば、前記端子の抜出時に、前記防水栓に設けられた抜出側誘い込み部により端子を第一電線挿通孔に案内しつつ、前記端子突起部による防水栓の損傷をより確実に抑制することが可能になる。
【００１６】
すなわち、前記防水栓の前端部分のうち前記端子突起部と対向する部分以外の部分には、前記第一電線挿通孔の内周面から前方に向かうに従って傾斜するテーパ状の抜出側誘い込み部が設けられているため、この抜出側誘い込み部に沿って端子を抜出することでこの端子をスムーズに第一電線挿通孔へと案内することができる。一方、前記防水栓の前端部分のうち前記端子突起部と対向する部分には、前記第一電線挿通孔の内周面から前記端子突起部の突出方向に凹み、その凹み具合が前記抜出側誘い込み部の傾斜角度よりも大きくなるような抜出側凹部が設けられているので、前記端子の第一電線挿通孔への抜出開始時に端子をこじらねばならない場合であっても、この端子突起部と防水栓との接触を抑制することができ、当該端子突起部による防水栓の損傷をより確実に抑制することが可能となる。
【００１７】
また、前記絶縁ハウジングには、その後面から後方に突出し前記抜出側凹部に挿入されるハウジング側凸部が設けられているので、このハウジング側凸部により前記抜出側凹部と前記端子突起部との接触をさらに確実に回避することができる。
【００１８】
また、前記防水コネクタにおいて、前記ハウジング側凸部の側面のうち前記端子突起部に対向する面が、前記絶縁ハウジングの前記端子収容室の内側面のうち前記端子突起部と対向する面と面一であるのが好ましい（請求項４）。
【００１９】
この構造では、前記端子を、前記端子突起部が前記端子収容室の内側面と前記ハウジング側凸部の側面のうち前記端子突起部に対向する面とに沿うようにして、前記第二電線挿通孔および第一電線挿通孔に挿入することができる。従って、端子の姿勢を安定させた状態でこの端子の抜出作業を行うことが可能になる。
【発明の効果】
【００２０】
以上のように、本発明によれば、端子の挿入が容易で防水栓の損傷をより確実に抑止することのできる防水コネクタを提供することができる。
【発明を実施するための最良の形態】
【００２１】
本発明に係る防水コネクタの実施形態について図面を参照しながら説明する。
【００２２】
図１は、本発明に係る防水コネクタの分解断面図である。この図に示すように、本防水コネクタ１０は、電線１が接続される金属製の端子２と、樹脂等からなる絶縁ハウジング２０およびホルダー４０と、弾性部材からなる防水栓３０とを有している。
【００２３】
前記端子２は、図１に示すように、下方に向けて突出する端子突起部２ａと、相手側端子金具と接続される電気接触部２ｄと、基板２ｃと、電線１に圧着されるバレル部２ｅと、後述する端子保持部２２と係合する被係止部２ｆとを有している。この端子２は、図２に示すように、導電性の金属板が前記基板２ｃを底壁として折り曲げられることにより形成される。この金属板には、その長手方向と垂直な方向に外側に向かって突出する端子突起部２ａとこの端子突起部２ａと係合可能な係止孔２ｂが設けられており、この金属板をこれら端子突起部２ａおよび係止孔２ｂを係合させるように折り曲げることで、前記電気接触部２ｄが箱状に形成される。このとき、前記端子突起部２ａは図１等に示すように、前記電気接触部２ｄの外周面から一方向に突出するように組み立てられる。また、前記基板２ｃ上に電線１を載置し、前記バレル部２ｅをそれぞれこの電線１に圧着させるようにして折り曲げることで、電線１がこの端子２に固定される。
【００２４】
前記絶縁ハウジング２０は、前記電線１が接続された端子２を相手方コネクタと接続可能なように保持するためのものである。この絶縁ハウジング２０には、複数の端子収容室２４と、複数の端子保持部２２と、収容壁２６と、複数のハウジング側凸部２８とが設けられている。
【００２５】
前記端子収容室２４は、前記端子２を収容するためのものであり、各端子収容室２４の下方には前記端子保持部２２が設けられている。そして、この端子収容室２４に挿入された端子２は、その下方に設けられた前記被係止部２ｆと前記端子保持部２２とが係合することによりこの絶縁ハウジング２０に保持される。
【００２６】
前記収容壁２６は、その内側に前記防水栓３０およびホルダー４０を収容するためのものである。この収容壁２６は、前記端子収容室２４の端子挿入口２４ａが開口する後面２６ａよりも後方に延びて、略筒状を有している。この収容壁２６の下方には、後述するホルダー４０のホルダー被係止突起４２ｃと係合するホルダー係止孔２６ｃが設けられている。そして、このホルダー被係止突起４２ｃとホルダー係止孔２６ｃとが係合することで、ホルダー４０が防水栓３０を前記後面２６ａに押圧した状態で絶縁ハウジング２０に固定されるようになっている。
【００２７】
前記ハウジング側凸部２８は、後述する防水栓３０の抜出側凹部３８に挿入され、前記端子突起部２ａと防水栓３０との接触を抑制するためのものである。このハウジング側凸部２８は、それぞれ前記後面２６ａのうち前記端子収容室２４の端子挿入口２４ａの開口部分付近に設けられて、この後面２６ａから後方に向けて突出する形状を有している。また、このハウジング側凸部２８は、その側面のうち前記端子突起部２ａと対向する面２８ａが、前記端子収容室２４の内側面のうち前記端子突起部２ａと対向する面と面一になるような形状を有している。すなわち、前記端子２を挿入あるいは抜出する際に、端子突起部２ａが前記ハウジング側凸部２８の面２８ａと前記端子収容室２４の内側面に沿って安定して移動できるようになっている。
【００２８】
前記防水栓３０は、合成ゴム等の弾性部材からなり、弾性変形することで前記端子収容室２４内に水が浸入しないようにするためのものである。この防水栓３０は、前記収容壁２６の内側に収容されるような形状に形成されており、前記絶縁ハウジング２０の後面２６ａとホルダー４０との間で弾性変形した状態で介在する。この防水栓３０には、前記電線１が接続された端子２が挿通可能な複数の第一電線挿通孔３４が、前記端子収容室２４に対応して複数設けられている。この第一電線挿通孔３４の孔径は、少なくともこの防水栓３０が前記のように弾性変形した状態にて、電線１および端子２の外径よりも小さくなるような大きさであり、この孔径を変形させつつ端子２および電線１が挿通されることで、前記第一電線挿通孔３４の内周面と電線１の外周面とが密着するようになっている。そして、この密着により、この第一電線挿通孔３４の内周面と電線１の外周面との隙間から端子収容室２４側への水の浸入が抑制される。
【００２９】
また、前記防水栓３０は、前記のように弾性変形した状態にて、その外周面が前記絶縁ハウジング２０の収容壁２６の内周面と密着するような形状を有している。そして、この密着により、防水栓３０と前記収容壁２６の内周面との隙間から端子収容室２４側への水の浸入が抑制される。
【００３０】
また、図４の（ａ），（ｂ）に示すように、前記防水栓３０の前端部分には、抜出側誘い込み部３７と、抜出側凹部３８とが形成されており、この防水栓３０の後端部分には、挿入側誘い込み部３５と、挿入側凹部３６とが形成されている。
【００３１】
前記抜出側誘い込み部３７は、図８に示すように端子２が前記端子収容室２４に収容されるとともに前記第一電線挿通孔３４に電線１が挿通された状態から、この端子２を外部に抜出する際に、この端子２を第一電線挿通孔３４に案内するためのものである。この抜出側誘い込み部３７は、防水栓３０の前端部分のうち前記端子突起部２ａと対向する部分以外の部分に設けられている。そして、この第一電線挿通孔３４の内周面から前方に向かうに従って端子２と離間する方向に傾斜するテーパ状を有している。
【００３２】
前記抜出側凹部３８は、前記端子２の抜出時に、この端子２に設けられた前記端子突起部２ａと防水栓３０との接触を回避するためのものである。この抜出側凹部３８は、防水栓３０の前端部分のうち前記抜出側誘い込み部３７が設けられていない部分、すなわち、前記端子突起部２ａと対向する部分に設けられている。そして、前記第一電線挿通孔３４の内周面から前記抜出側誘い込み部３７の傾斜角度よりも大きな角度で前記端子突起部２ａの突出方向に凹む形状を有している。
【００３３】
本実施形態では、この抜出側凹部３８は、第一電線挿通孔３４の内周面から前方に向かうに従って前記端子突起部２ａの突出方向に傾斜するテーパ形状を有するテーパ部分３８ａと、このテーパ部分３８ａの内周面から前記端子突起部２ａの突出方向に凹む段部３８ｂとから形成されている。そして、図８等に示すように、前記絶縁ハウジング２０のハウジング側凸部２８がこの段部３８ｂにはまり込むようになっている。
【００３４】
一方、前記挿入側誘い込み部３５は、図６に示すように防水栓３０が前記絶縁ハウジング２０の後面２６ａとホルダー４０との間で弾性変形した状態、すなわち、前記第一電線挿通孔３４の孔径が電線１等の径よりも小さい状態で、電線１に接続された端子２をこの第一電線挿通孔３４に挿入する際に、この端子２を第一電線挿通孔３４に案内するためのものである。この挿入側誘い込み部３５は、防水栓３０の後端部分のうち前記端子突起部２ａと対向する部分以外の部分に設けられている。そして、この第一電線挿通孔３４の内周面から後方に向かうに従って前記端子２と離間する方向に傾斜するテーパ状を有している。
【００３５】
また、前記挿入側凹部３６は、前記端子２の挿入時に、この端子２に設けられた前記端子突起部２ａと防水栓３０との接触を回避するためのものである。この挿入側凹部３６は、防水栓３０の後端部分のうち前記挿入側誘い込み部３５が設けられていない部分、すなわち、前記端子突起部２ａと対向する部分に設けられている。そして、前記第一電線挿通孔３４の内周面から前記挿入側誘い込み部３５の傾斜角度よりも大きな角度で前記端子突起部２ａの突出方向に凹む形状を有している。
【００３６】
本実施形態では、この挿入側凹部３６は、第一電線挿通孔３４の内周面から後方に向かうに従って前記端子突起部２ａの突出方向に傾斜するテーパ形状を有するテーパ部分３６ａと、このテーパ部分３６ａの内周面から前記端子突起部２ａの突出方向に凹む段部３６ｂとから形成されている。そして、図８等に示すように、後述するホルダー４０のホルダー側凸部４６がこの段部３６ｂにはまり込むようになっている。
【００３７】
前記ホルダー４０は、前記防水栓３０を絶縁ハウジング２０の後面２６ａに押し付けて弾性変形させるためのものである。このホルダー４０は、前記絶縁ハウジング２０の収容壁２６の内側に収容されるような形状を有しており、本体部４２と、ホルダー側凸部４６とを有している。
【００３８】
前記本体部４２は、前記防水栓３０を後方から覆うような略板状部材であり、その前面４２ａで防水栓３０の後端面を押圧している。この本体部４２には、防水栓３０の前記第一電線挿通孔３４と対応する位置に、電線１が接続された端子２が挿通可能な複数の第二電線挿通孔４４が形成されている。また、この本体部４２の下方には、絶縁ハウジング２０に設けられたホルダー係止孔２６ｃと係合可能なホルダー被係止突起４２ｃが設けられている。そして、このホルダー係止孔２６ｃとホルダー被係止突起４２ｃとが係合することで、前記防水栓３０が前記本体部４２の前面４２ａと絶縁ハウジングの後面２６ａとの間で弾性変形した状態で保持される。
【００３９】
前記ホルダー側凸部４６は、前記防水栓３０の挿入側凹部３６に挿入されて、前記端子突起部２ａと防水栓３０との接触を抑制するためのものである。このホルダー側凸部４６は、それぞれ前記本体部４２の前面４２ａのうち前記第二電線挿通孔４４の開口部分付近に設けられて、この前面４２ａから前方に向けて突出する形状を有している。また、このホルダー側凸部４６は、その側面のうち前記端子突起部２ａと対向する側の面４６ａが、前記第二電線挿通孔４４の内側面のうち前記端子突起部２ａと対向する部分とほぼ面一になるような形状を有している。すなわち、端子２を挿入する際に、この端子２の端子突起部２ａがこの第二電線挿通孔４４の内側面とホルダー側凸部４６の面４６ａに沿って安定して移動できるようになっている。
【００４０】
次に、以上の構成要素を組み付ける方法について説明する。
【００４１】
まず、図６に示すように、前記絶縁ハウジング２０の収容壁２６の内側に、防水栓３０およびホルダー４０を収容し、ホルダー４０のホルダー被係止突起４２ｃと前記収容壁２６のホルダー係止孔２６ｃとを係合する。このとき、前記防水栓３０は、前記絶縁ハウジング２０の後面２６ａおよびハウジング側凸部２８の後面と、前記ホルダー４０の本体部４２の前面４２ａおよびホルダー側凸部４６の前面とにより挟持されて弾性変形する。
【００４２】
次に、図７の（ａ）に示すように、電線１が接続された端子２を、ホルダー４０の第二電線挿通孔４４に挿入する。このとき、前記端子突起部２ａをホルダー４０の第二電線挿通孔４４の内側面およびホルダー側凸部４６の面４６ａに沿わせつつ、端子２を挿入していく。
【００４３】
次に、前記第二電線挿通孔４４に挿通された端子２を、その前端部分のうち前記端子突起部２ａが設けられた部分以外の部分で前記テーパ状の挿入側誘い込み部３５を徐々に拡径しつつ第一電線挿通孔３４に挿入する。このようにして端子２を図７の（ｂ）に示す状態まで挿入すると、端子２の前端部分のうち前記端子突起部２ａが設けられた部分が防水栓３０と接触するので、端子２を、その前端部分によって前記のように挿入側誘い込み部３５を拡径するとともに前記挿入側凹部３６のテーパ部分３６ａを拡径しつつ図７の（ｃ）に示す状態まで挿入する。この状態では、前記端子突起部２ａはホルダー側凸部４６の面４６ａに当接しており、防水栓３０との接触が回避されている。
【００４４】
次に、前記端子２をさらに前方に挿入し、端子突起部２ａを第一電線挿通孔３４に挿入する。ここで、前述のように端子２を図７の（ｃ）に示すような位置まで挿入すると、端子２の外周部分に防水栓３０が密着するため、この端子２はこの防水栓３０によって安定して支持される。また、この状態では、前記第一電線挿通孔３４が端子２の前端部分によって十分に拡径されている。従って、端子突起部２ａを前記のように第一電線挿通孔３４に挿入しても、この端子突起部２ａにより防水栓３０を損傷することなく端子２を挿入することができる。
【００４５】
端子２を第一電線挿通孔３４に挿入した後は、さらにこの端子２を前方に移動させて、図８に示すように、端子２の前記被係止部２ｆが前記端子保持部２２に保持されるまで端子収容室２４に挿入する。
【００４６】
ここで、前記防水栓３０の第一電線挿通孔３４に電線１を挿通させると、前記防水栓３０の第一電線挿通孔３４の内周面がこの第一電線挿通孔３４に挿通された電線１の外周面に密着し、この第一電線挿通孔３４の内周面と電線１の外周面との隙間から端子収容室２４内への水の浸入が回避可能となる。また、前記防水栓３０の外周面と前記絶縁ハウジング２０の収容壁２６の内周面とが密着することで、この防水栓３０の外周面と収容壁２６の内周面との隙間から端子収容室２４内への水の浸入が抑制される。
【００４７】
次に、このようにして端子収容室２４に収容された端子２を抜出する方法について説明する。
【００４８】
まず、前記端子保持部２２と端子２の被係止部２ｆの係合状態を所定の治具等を用いて解除する。次に、端子２に接続される電線１を後方に引っ張る。
【００４９】
接続された電線１が引っ張られた端子２は、その端子突起部２ａが端子収容室２４の内側面およびハウジング側凸部２８の面２８ａに沿うようにして後方に移動する。そして、この端子２は、前記防水栓３０の抜出側誘い込み部３７によって防水栓３０の第一電線挿通孔３４に案内され、この抜出側誘い込み部３７を拡径しつつ第一電線挿通孔３４に侵入する。このとき、端子２の端子突起部２ａは前記ハウジング側凸部２８上にあるので、前記電線１を無理やり引っ張ったとしても、この端子突起部２ａによる防水栓３０の損傷が回避される。
【００５０】
さらに電線１を引っ張ると、この電線１に接続された端子２は、前記のように抜出側誘い込み部３７に案内されるとともに、前記端子突起部２ａが設けられた側の前端部分が前記抜出側凹部３８のテーパ部分３８ａに案内されて、前記第一電線挿通孔３４内に移動する。そして、この端子２は、前記第一電線挿通孔３４およびホルダー４０に設けられた第二電線挿通孔４４を通って外部に抜出される。
【００５１】
以上のように、本防水コネクタ１０によれば、前記防水栓３０の後端部分のうち前記端子突起部２ａと対向する部分以外の部分に、前記第一電線挿通孔３４の内周面から後方に向かうに従って傾斜するテーパ状の挿入側誘い込み部３５が設けられているため、この挿入側誘い込み部３５に沿って端子２を挿入することでこの端子２をスムーズに第一電線挿通孔３４に挿入することができる。一方、前記防水栓３０の後端部分のうち前記端子突起部２ａと対向する部分には、前記第一電線挿通孔３４の内周面から前記端子突起部２ａの突出方向に凹み、その凹み具合が前記挿入側誘い込み部３５の傾斜角度よりも大きくなるような挿入側凹部３６が設けられているので、前記端子２の第一電線挿通孔３４への挿入開始時に端子２をこじ入れねばならない場合であっても、この端子突起部２ａと防水栓３０との接触を抑制することができ、当該端子突起部２ａによる防水栓３０の損傷をより確実に抑制することが可能となる。また、前記ホルダー４０には、その前面４２ａから前方に突出し前記挿入側凹部３６に挿入されるホルダー側凸部４６が設けられているので、このホルダー側凸部４６により前記挿入側凹部３６と前記端子突起部２ａとの接触をさらに確実に回避することができる。
【００５２】
また、前記のように、前記ホルダー側凸部４６を、その側面のうち前記端子突起部２ａに対向する面４６ａが、前記第一電線挿通孔３４の内側面のうち前記端子突起部２ａと対向する面と面一となるような形状とすれば、前記端子突起部２ａをこのホルダー側凸部４６の面４６ａと第一電線挿通孔３４の内側面とに沿わせつつ、端子２を挿入することができるので、端子２の姿勢を安定させた状態でこの端子２の挿入作業を行うことができる。その結果、端子２をより容易に第一電線挿通孔３４に挿入することが可能になる。
【００５３】
また、前記防水コネクタ１０では、前記防水栓３０の前端部分のうち前記端子突起部２ａと対向する部分以外の部分に、前記第一電線挿通孔３４の内周面から前方に向かうに従って傾斜するテーパ状の抜出側誘い込み部３７が設けられているため、この抜出側誘い込み部３７に沿って端子２を抜出することでこの端子２をスムーズに第一電線挿通孔３４へと案内することができる。一方、前記防水栓３０の前端部分のうち前記端子突起部２ａと対向する部分には、前記第一電線挿通孔３４の内周面から前記端子突起部２ａの突出方向に凹み、その凹み具合が前記抜出側誘い込み部３７の傾斜角度よりも大きくなるような抜出側凹部３８が設けられているので、前記端子２の第一電線挿通孔３４への抜出開始時に端子２をこじらねばならない場合であっても、この端子突起部２ａと防水栓３０との接触を抑制することができ、当該端子突起部２ａによる防水栓３０の損傷をより確実に抑制することが可能となる。また、前記絶縁ハウジング２０には、その後面２６ａから後方に突出し前記抜出側凹部３８に挿入されるハウジング側凸部２８が設けられているので、このハウジング側凸部２８により前記抜出側凹部３８と前記端子突起部２ａとの接触をさらに確実に回避することができる。
【００５４】
また、前記のように、前記ハウジング側凸部２８を、その側面のうち前記端子突起部２ａに対向する面２８ａが、前記端子収容室２４の内側面のうち前記端子突起部２ａと対向する面と面一となるような形状とすれば、端子突起部２ａをこの端子収容室２４の内側面とハウジング側凸部２８の面２８ａに沿わせつつ端子２の挿入を行うことができる。従って、端子２の姿勢を安定させた状態でこの端子２の抜出作業を行うことができるので、端子２の抜出作業時に、この端子２をより容易に第一電線挿通孔３４に移動させることが可能になる。
【００５５】
ここで、前記実施形態では、前記防水栓３０の挿入側凹部３６を、テーパ部分３６ａとこのテーパ部分３６ａから電線１の挿入方向と垂直な方向に凹む段部３６ｂとで形成した場合について示したが、テーパ部分３６ａを設けず、段部３６ｂのみとしてもよい。また、この段部３６ｂの形状は前記に限らず、前記挿入側誘い込み部３５の傾斜角度よりも大きな角度で凹んでいればよい。
【００５６】
前記防水栓３０の抜出側凹部３８についても同様に、テーパ部分３８ａを設けず、段部３８ｂのみとしてもよい。また、この段部３８ｂの形状も前記に限らず、前記抜出側誘い込み部３７の傾斜角度よりも大きな角度で凹んでいればよい。
【００５７】
また、端子突起部２ａは、前記のように前記電気接触部２ｄを形成する際に前記係止孔２ｂと係合する部分に限らず、端子２の外周面から突出しているものであればよい。
【図面の簡単な説明】
【００５８】
【図１】本発明に係る防水コネクタの分解断面図である。
【図２】図１に示す防水コネクタに設けられる端子の展開図である。
【図３】図１に示す防水コネクタに設けられる絶縁ハウジングの断面図である。
【図４】（ａ）図１に示す防水コネクタに設けられる防水栓の後方からの正面図である。（ｂ）（ａ）に示す防水栓の断面図である。
【図５】（ａ）図１に示す防水コネクタに設けられるホルダーの前方からの正面図である。（ｂ）（ａ）に示すホルダーの断面図である。
【図６】図１に示す絶縁ハウジングと防水栓とホルダーとを組み付けた状態で示す防水コネクタの分解断面図である。
【図７】（ａ）端子の挿入過程を示す断面図である。（ｂ）端子の挿入過程を示す断面図である。（ｃ）端子の挿入過程を示す断面図である。
【図８】図１に示す防水コネクタを組み立てた状態で示す断面図である。
【図９】従来の防水コネクタの分解断面図である。
【符号の説明】
【００５９】
１      電線
２      端子
２ａ    端子突起部
１０    防水コネクタ
２０    絶縁ハウジング
２２    端子保持部
２４    端子収容室
２４ａ  端子挿入口
２６    収容壁
２６ａ  後面
２６ｃ  ホルダー係止孔
２８    ハウジング側凸部
３０    防水栓
３４    第一電線挿通孔
３５    挿入側誘い込み部
３６    挿入側凹部
３６ａ  テーパ部分
３６ｂ  段部
３７    抜出側誘い込み部
３８    抜出側凹部
３８ａ  テーパ部分
３８ｂ  段部
４０    ホルダー
４２ｃ  ホルダー被係止突起
４４    第二電線挿通孔
４６    ホルダー側凸部
【図１】
2008171636.tif 000003
【図２】
2008171636.tif 000004
【図３】
2008171636.tif 000005
【図４】
2008171636.tif 000006
【図５】
2008171636.tif 000007
【図６】
2008171636.tif 000008
【図７】
2008171636.tif 000009
【図８】
2008171636.tif 000010
【図９】
2008171636.tif 000011